(57)【要約】【課題】プラグをレセプタクルから斜め方向に引いても適正な保持力を越えたところでいずれにも損傷を生じることなく引き抜きが可能であること及び低背化が可能であること。【解決手段】レセプタクル１とプラグ２とで構成する。レセプタクル１は、プラグ保持空間１ａ１を正面中央に構成した絶縁性のレセプタクル本体１ａと、プラグ保持空間１ａ１をその間に構成する両側の空間形成用突起部１ａ２、１ａ２と、両側からプラグ保持空間に弾力的に突出するワイヤーコンタクト１ｂ、１ｂの抱持用突部１ｂ２、１ｂ２と、プラグ保持空間１ａ１の最奥部となるレセプタクル本体１ａの前面に突出するコンタクト部材１ｄの接片部１ｄ１とで構成する。プラグ２は、プラグ本体２ａと、その前端から突出する、先端周囲に係止用拡大部２ｂ１を備えた柱状結合部２ｂと、その先端に配したコンタクト片２ｃの接片部２ｃ２とで構成する。【選択図】  図４
2014225363.tif 000002
【特許請求の範囲】
【請求項１】
前部両側から空間形成用突起部を突出させて、その間にプラグの柱状結合部を挿入するプラグ保持空間を構成した絶縁性のレセプタクル本体と、
前記プラグ保持空間に挿入されたプラグの柱状結合部を挟んで該柱状結合部を相互に対向状態で抱持すべく、各々二つの抱持用突部を、該プラグ保持空間に突出させるように、該両空間形成用突起部中に配置したワイヤーコンタクトと、
前記両ワイヤーコンタクトの両抱持用突部を、前記プラグ保持空間に挿入される前記柱状結合部に圧接させるべく、該ワイヤーコンタクトをその背後から押圧するように前記空間形成用突起部中に配置した弾性押圧部材の押圧部と、
前記レセプタクル本体の、前記プラグ保持空間の最奥部となる前面に接片部を突出させるべく配したコンタクト部材と、
で構成したレセプタクル、
及び
プラグ本体から突出する先端周囲に係止用拡大部を備えた前記柱状結合部であって、内部の絶縁部材及びこれを外装する筒状コンタクト部材からなる前記柱状結合部と、
前記柱状結合部の先端に配置した、前記コンタクト部材の接片部と接触するコンタクト片の接片部と、
を備えたプラグ、
からなるコネクタ装置。
【請求項２】
前記ワイヤーコンタクトを、
並列する両端の短軸状の基部軸と、
前記両基部軸の各一端から屈曲して相互に平行に延長する延長軸部と、
前記両延長軸部の延長先端部から各々前記基部軸の軸方向と同一方向に屈曲突出させた部分円弧状の抱持用突部であって、両者で前記プラグの柱状結合部の一周側部を抱えるように構成した抱持用突部と、
前記両抱持用突部の前記延長軸部と反対側の各端部相互を連結する連結軸部と、
で構成し、
前記両空間形成用突起部を、
前記柱状結合部の外周形状に対応する内面形状の、該柱状結合部より大径の内面区画部と、
前記内面区画部の外方側に形成した、前記ワイヤーコンタクトの連結軸部及びこれを前記プラグ保持空間側に押圧する弾性押圧部材の押圧部を配置するバネ配置部であって、前記レセプタクル本体の側部空間に連続するバネ配置部と、
前記バネ配置部から前記内面区画部の周方向両側の部位に連通すべく構成した二つのバネ通過用スリットと、
で構成し、
かつ前記レセプタクル本体の両側部空間の内壁には、各々前記両抱持用突部の一端から延長する前記延長軸部の進入可能な二つの軸用溝と、該二つの軸用溝の後端後方に位置する前記基部軸の挿入固定用の軸穴とを構成し、
前記ワイヤーコンタクトの両基部軸を各々前記軸穴に挿入し、前記両延長軸部を各々前記軸用溝に進入可能に配置し、前記連結軸部を前記バネ配置部に配置して、該ワイヤーコンタクトの二つの抱持用突部を各々前記バネ通過用スリットに挿入し、かつ前記弾性押圧部材の押圧部を該ワイヤーコンタクトの連結軸部に背後側から押し当て、該二つの抱持用突部を前記プラグ保持空間内に押し出すようにした請求項１のコネクタ装置。
【請求項３】
前記連結軸部を、屈曲部を前記両基部軸の中間付近の方向に向けて突出させたＶ型に屈曲して構成した請求項２のコネクタ装置。
【請求項４】
前記弾性押圧部材を、
導電性の弾性金属部材で構成した、前記レセプタクル本体の周囲を包囲する包囲部と、
前記包囲部の両側部の前端から各々前記バネ配置部に向かって延長する帯状延長部と、
前記帯状延長部の前端部を、前記ワイヤーコンタクトの連結軸部側に、ほぼＵ字形に、折り返して形成した押圧部であって、該連結軸部を前記プラグ保持空間側に押圧する押圧部と、
前記包囲部の一側部の後端から延長状態に構成した端子部と、
で構成した請求項２又は３のコネクタ装置。
【発明の詳細な説明】
【技術分野】
【０００１】
本発明は、電力の供給用又は種々の電気信号の伝送用のケーブル類を電気的に接続し、その電力又は電気信号の授受のために使用するコネクタ装置に関する。
【背景技術】
【０００２】
この種のコネクタ装置には、例えば、特許文献１に示すようなＤＣコネクタ（プラグ）とＤＣジャックからなるコネクタ装置の例がある。このコネクタ装置は、携帯型電子機器に用いられるそれに関するものであるが、この装置は、適合しないサイズのＤＣコネクタ（プラグ）が、前記ＤＣジャックに挿入された場合に、該ＤＣジャック内の中央に配されている端子ピンが無理矢理その背後方向に押し込まれて該ＤＣジャックを組み込んだ機器内部に脱落するようなことのないように改良を加えたものである。
【０００３】
このＤＣジャック及びこれに挿入するＤＣコネクタ（プラグ）は、基本的には、従来のこの種の装置の構造に変更が加えられてはいない。そのＤＣジャックは、挿入方向に長い円筒状の中空部を備え、その後部壁中央から該円筒状の中空部の軸心に沿って端子ピンが突設してあり、該中空部の内周壁後部には二つの端子片が周方向１８０度の角度間隔で配してあるものである。他方、ＤＣコネクタ（プラグ）は、その円柱状部の中央に軸心に沿ってピン挿通穴が構成してあり、かつ該円柱状部の先端周囲にアース側端子である筒型端子が配してあるものである。
【０００４】
それ故、以上のＤＣジャックとＤＣコネクタとの電気的接続は、ＤＣコネクタの円柱状部をＤＣジャックの中空部に挿入し、前者のピン挿通穴に後者の端子ピンを挿通させ、かつ前者の筒型端子を後者の二つの端子片に接触させて行うものであり、前記のように、嵌合長の長いものとなっている。
【０００５】
従ってＤＣジャックに嵌合状態のこのようなＤＣコネクタをこれに結合しているケーブルで引っ張ると、それらの軸方向には、容易に抜けるが、該軸方向に対して傾いた方向に引っ張った場合には容易には抜けない。ＤＣコネクタの円柱状部は、前記ＤＣジャックの中空部に比較的長い嵌合長で嵌合し、かつ前者のピン挿通穴には後者の端子ピンが挿入状態となっている構成であるため、以上のような結果になるのだと理解できる。それにも拘わらず、何らかの事情で無理に引っ張ってしまうこともあり、そうすると、これを組み込んでいる機器がノートパソコンその他の携帯機器であった場合等には、それらが引き摺られて、例えば、机上から落ちて破損してしまうようなおそれがある。或いは、コネクタ装置自体が壊れてしまうこともある。
【０００６】
特許文献２は、ＡＣアダプタを使用した電気機器に関し、両者を着脱する従来のコネクタ装置として、特許文献１に示されたＤＣコネクタとＤＣジャックとほぼ同様のそれを示し、そのような構成のコネクタ装置では、それらのケーブルを引っ張れば両者は比較的容易に抜けてしまい、このような引き抜きが予期せずに起きた場合には、突然に機器の電源が落ちてしまう問題があると指摘し、そのような問題を解消する手段を提案している。これは、ケーブルを、ＤＣコネクタ及びＤＣジャックの軸方向に一致する方向に引いた場合に相互が容易に抜けてしまうという問題であって、それはその通りであるが、それと異なる方向に引いた場合に抜けにくい問題があることは否定できない。この問題があるのは、特許文献１の場合と当然同様である。
【０００７】
特許文献３は、検査用コネクタに関するもので、プリント配線板に実装されたベースコネクタと、該ベースコネクタの空所部に挿抜自在に嵌合接続する検査用ソケットコネクタとからなり、前記ベースコネクタには、そのベースハウジングの空所部に後壁から相互に平行に延びる複数の接触ピン部を配設し、前記ソケットコネクタには、そのソケットハウジング内に前記接触ピン部と嵌合接触する接触部を備えた複数のソケットコンタクトを個別に離隔して収容し、かつ該ソケットハウジングの前端部に前記ベースハウジングの後部壁に当接する一以上のストッパ部片を突設し、前記ソケットハウジングを前記ベースハウジングの前記空所部に嵌合した際に、前記ストッパ部片が前記空所部内の後壁に当接して、前記ソケットハウジングの前記ベースハウジングに対する嵌合長を短く規制することができるようにしたものである。
【０００８】
従ってこの検査用コネクタによれば、以上のように、検査用ソケットコネクタをベースコネクタに接続した際に、相互の嵌合長が短くなるため、該検査用ソケットコネクタを前記接触ピン及びソケットコンタクトの軸方向に対して斜め方向に引いた場合でも、こじり力が軽減され、ベースハウジングに破損が生じるのを回避することができると思われる。
【０００９】
しかし、この検査用ソケットコネクタは、前記のように、単にソケットハウジングの先端に一以上のストッパ部片を突設して、ソケットコネクタをベースコネクタに嵌合する際にその嵌合深さを浅くするようにしたに過ぎないため、必要な保持力等を確保し得ないものとなっている。
【００１０】
それ故、このようなコネクタの構成をノートパソコンその他の携帯機器における種々の電気信号の伝送用又は電力の供給用ケーブル類の接続のためのコネクタとして適用した場合は、前記こじりの問題は解消できるが、保持力が弱くなり過ぎ、僅かな力でコネクタの接続が解消されてしまうため、意図せずして、該コネクタを通じて接続していた信号源との接続が切れたり、電源との接続が切れてしまうような新たな問題が生じるおそれがある。
【００１１】
特許文献４は、コネクタ装置に関し、ソケット本体のプラグ挿入口にアース金具を配し、かつ該アース金具に、先端と後端とに座巻き部を有し、先端から後端に向かって拡大するコイルスプリング状の係止バネを配して構成したソケットと、プラグ本体に、その長さ方向の途中に、前記プラグ挿入口への挿入時に前記アース金具の先端に当接する当接面を備えた導電性係合部材を配し、かつ該導電性係合部材に、その先端から延長する、先端側に向かって拡大する係合部を構成したプラグとで構成したものである。
【００１２】
従って、前記プラグの係合部を前記ソケットのプラグ挿入口に挿入すると、前記導電性係合部材の前記当接面がアース金具の先端に当接し、同時に、そこから延びる係合部の先端大径部と後端の当接面との間にある小径の頸部がアース金具内の前端に位置する係止バネの先端側座巻き部に係止することになる。すなわち、きわめて嵌合長の短い嵌合状態で該頸部がバネ材の座巻き部に抱えられる状態となるものである。それ故、プラグはプラグ挿入口の軸心に対していずれの方向に傾くことも、広い角度範囲で可能となり、かつ該座巻き部で適正な保持力で保持されることになるものでもある。なお、プラグは、当然に、以上の適正な保持力を越えた力で引けばこれを引き抜くことが可能になる
【００１３】
このようにこの特許文献４のコネクタ装置は優れたものであるが、プラグの係合部の頸部を抱える係止バネの座巻き部は、文字どおり、リング状であり、該頸部の全周を抱えるものであるから、相応する径にならざるを得ない。ソケット側の十分な低背化が確保できているとは言い難い。
【先行技術文献】
【特許文献】
【００１４】
【特許文献１】特開２００４−１７１８４８号公報
【特許文献２】特開２００５−１５１６２９号公報
【特許文献３】特開２００７−２６５９２２号公報
【特許文献４】特開２０１０−１７７１７５号公報
【発明の概要】
【発明が解決しようとする課題】
【００１５】
本発明は、以上の従来技術の問題点を解消し、プラグとジャック又は雄のコネクタと雌のコネクタとの接続における嵌合長を短くし、接続状態のコネクタ装置のプラグ又は雄のコネクタをジャック又は雌のコネクタの軸心に対して傾いた方向に引っ張ってジャック又は雌のコネクタから抜こうとした場合に、それがいずれの方向に傾いて引っ張る場合であっても適切な保持力を有すると共に、その引っ張り力が保持力を越えれば、該コネクタ装置に損傷を生じさせることなく、容易に抜け得るようにすることが可能であり、かつ種々の携帯機器その他の適用対象の機器の薄型化に対応した低背化を実現することができるコネクタ装置を提供することを解決の課題とするものである。
【課題を解決するための手段】
【００１６】
本発明の１は、前部両側から空間形成用突起部を突出させて、その間にプラグの柱状結合部を挿入するプラグ保持空間を構成した絶縁性のレセプタクル本体と、
前記プラグ保持空間に挿入されたプラグの柱状結合部を挟んで該柱状結合部を相互に対向状態で抱持すべく、各々二つの抱持用突部を、該プラグ保持空間に突出させるように、該両空間形成用突起部中に配置したワイヤーコンタクトと、
前記両ワイヤーコンタクトの両抱持用突部を、前記プラグ保持空間に挿入される前記柱状結合部に圧接させるべく、該ワイヤーコンタクトをその背後から押圧するように前記空間形成用突起部中に配置した弾性押圧部材の押圧部と、
前記レセプタクル本体の、前記プラグ保持空間の最奥部となる前面に接片部を突出させるべく配したコンタクト部材と、
で構成したレセプタクル、
及び
プラグ本体から突出する先端周囲に係止用拡大部を備えた前記柱状結合部であって、内部の絶縁部材及びこれを外装する筒状コンタクト部材からなる前記柱状結合部と、
前記柱状結合部の先端に配置した、前記コンタクト部材の接片部と接触するコンタクト片の接片部と、
を備えたプラグ、
からなるコネクタ装置である。
【００１７】
本発明の２は、本発明の１のコネクタ装置において、
前記ワイヤーコンタクトを、
並列する両端の短軸状の基部軸と、
前記両基部軸の各一端から屈曲して相互に平行に延長する延長軸部と、
前記両延長軸部の延長先端部から各々前記基部軸の軸方向と同一方向に屈曲突出させた部分円弧状の抱持用突部であって、両者で前記プラグの柱状結合部の一周側部を抱えるように構成した抱持用突部と、
前記両抱持用突部の前記延長軸部と反対側の各端部相互を連結する連結軸部と、
で構成し、
前記両空間形成用突起部を、
前記柱状結合部の外周形状に対応する内面形状の、該柱状結合部より大径の内面区画部と、
前記内面区画部の外方側に形成した、前記ワイヤーコンタクトの連結軸部及びこれを前記プラグ保持空間側に押圧する弾性押圧部材の押圧部を配置するバネ配置部であって、前記レセプタクル本体の側部空間に連続するバネ配置部と、
前記バネ配置部から前記内面区画部の周方向両側の部位に連通すべく構成した二つのバネ通過用スリットと、
で構成し、
かつ前記レセプタクル本体の両側部空間の内壁には、各々前記両抱持用突部の一端から延長する前記延長軸部の進入可能な二つの軸用溝と、該二つの軸用溝の後端後方に位置する前記基部軸の挿入固定用の軸穴とを構成し、
前記ワイヤーコンタクトの両基部軸を各々前記軸穴に挿入し、前記両延長軸部を各々前記軸用溝に進入可能に配置し、前記連結軸部を前記バネ配置部に配置して、該ワイヤーコンタクトの二つの抱持用突部を各々前記バネ通過用スリットに挿入し、かつ前記弾性押圧部材の押圧部を該ワイヤーコンタクトの連結軸部に背後側から押し当て、該二つの抱持用突部を前記プラグ保持空間内に押し出すようにしたものである。
【００１８】
本発明の３は、本発明の２のコネクタ装置において、
前記連結軸部を、屈曲部を前記両基部軸の中間付近の方向に向けて突出させたＶ型に屈曲して構成したものである。
【００１９】
本発明の４は、本発明の２又は３のコネクタ装置において、
前記弾性押圧部材を、
導電性の弾性金属部材で構成した、前記レセプタクル本体の周囲を包囲する包囲部と、
前記包囲部の両側部の前端から各々前記バネ配置部に向かって延長する帯状延長部と、
前記帯状延長部の前端部を、前記ワイヤーコンタクトの連結軸部側に、ほぼＵ字形に、折り返して形成した押圧部であって、該連結軸部を前記プラグ保持空間側に押圧する押圧部と、
前記包囲部の一側部の後端から延長状態に構成した端子部と、
で構成したものである。
【発明の効果】
【００２０】
本発明の１のコネクタ装置によれば、前記プラグの柱状結合部を、前記レセプタクルの正面からプラグ保持空間に挿入すると、前記両空間形成用突起部中にそれぞれ配したワイヤーコンタクトの各一対の抱持用突部が該プラグ保持空間に挿入された柱状結合部の周方向両側をそれぞれ抱持する状態となり、この状態で、該柱状結合部の先端に配置したコンタクト片の接片部はレセプタクル本体の前面から突出するコンタクト部材の接片部と接触する。こうしてワイヤーコンタクトと柱状結合部の外周を構成する筒状コンタクト部材、及び柱状結合部のコンタクト片の接片部とレセプタクル本体のコンタクト部材の接片部とのそれぞれの電気的接続は確実に行われることになる。
【００２１】
また前記両ワイヤーコンタクトは、それぞれその背後から弾性押圧部材の押圧部で該柱状結合部側に向かって一定の押圧力が加えられ、該柱状結合部材はその先端外周に係止用拡大部を備えているため、該両ワイヤーコンタクトの各一対の抱持用突部による前記抱持状態は、該柱状結合部を保持するために必要な保持力を確保することができる。
【００２２】
他方、前記プラグ保持空間の二つのワイヤーコンタクトの各一対の抱持用突部と前記プラグの柱状結合部との接続は、以上のとおりであって、該プラグの柱状結合部は、プラグ保持空間中で両側の各一対の抱持用突部で浮いた状態で抱持状態に保持され、かつ嵌合長の非常に短い接続とすることができる。それ故、該柱状結合部を該プラグ保持空間の中心軸に対して一定の範囲でいずれの方向に傾けて引くことも可能であり、それによってレセプタクルに損傷が生じることもない。また、該柱状結合部は、これを前記必要な保持力を越える力で引けば、いずれの方向に引いた場合も同様に、前記プラグ保持空間から抜去することができる。
【００２３】
また本発明の１のコネクタ装置は、前記のように、前記レセプタクルのプラグ保持空間を両側の空間形成用突起部で両側を閉じることによって構成し、その上下にこれを閉じる部材を配していない。また挿入されたプラグの柱状結合部は、該両側の空間形成用突起部中に配したワイヤーコンタクトの各一対の抱持用突部で両側から抱持することで保持することとしている。それ故、本発明の１のコネクタ装置は、その低背化を図ることができるものでもある。
【００２４】
本発明の２のコネクタ装置によれば、前記二つのワイヤーコンタクトは、それぞれその基部軸が前記軸穴に挿入固定されており、前記連結軸部及び前記一対の抱持用突部は、該基部軸の延長軸部との境界付近を中心としてプラグ保持空間側に弾力的に回動できるようになっている。そして該連結軸部が、前記のように、前記弾性押圧部材の押圧部で前記プラグ保持空間側に押圧され、該各一対の抱持用突部は、対向状態で該プラグ保持空間中に挿入されるプラグの柱状結合部の周側部を弾力的に抱持することになる。それ故、両側の各一対の抱持用突部によるプラグの柱状結合部の周方向両側の抱持は確実なものとなる。
【００２５】
本発明の３のコネクタ装置によれば、前記連結軸部がＶ型に屈曲して構成したものであるため、前記弾性押圧部材の押圧部による押圧が確実に行われ得る利点がある。
【００２６】
本発明の４のコネクタ装置によれば、前記弾性押圧部材の押圧部による前記ワイヤーコンタクトの連結軸部に対する背後からの押圧をより適切に行うことができ、該ワイヤーコンタクトの抱持用突部によるプラグの柱状結合部に対する抱持を確実なものとすることができる。また弾性押圧部材の一部に端子部を構成して使用することができる利点もある。
【図面の簡単な説明】
【００２７】
【図１】(a)はレセプタクルの正面図、(b)は左側面図、(c)は右側面図、(d)は平面図、(e)は一部切欠底面図。
【図２】(a)はレセプタクルの正面側から見た斜視図、(b)は背後側から見た斜視図。
【図３】(a)はプラグの一分切欠平面図、(b)は一部切欠右側面図、(c)は一分切欠正面図。
【図４】(a)はプラグをレセプタクルの接続した状態の背面図、(b)はプラグをレセプタクルの接続した状態の拡大断面図。
【図５】レセプタクルの上部で横方向に切断した断面図。
【図６】(a)はワイヤーコンタクトの正面図、(b)は右側面図、(c)は底面図。
【図７】(a)は二つのワイヤーコンタクトの位置関係を示す斜視図、(b)はワイヤーコンタクトと弾性押圧部材の先端押圧部との位置関係を示す斜視図。
【発明を実施するための形態】
【００２８】
発明を実施するための形態を図面を参照しながら実施例に基づいて詳細に説明する。
【００２９】
この実施例のコネクタ装置は、図４に示すように、基本的に、レセプタクル１とプラグ２とで構成したものである。
【００３０】
前記レセプタクル１は、図１、図２、図４及び図５に示すように、プラグ保持空間１ａ１を正面中央に開口した絶縁性のレセプタクル本体１ａと、該レセプタクル本体１ａの正面のプラグ保持空間１ａ１をその間に構成する両側の空間形成用突起部１ａ２、１ａ２と、該空間形成用突起部１ａ２、１ａ２中にそれぞれ配したワイヤーコンタクト１ｂ、１ｂと、該ワイヤーコンタクト１ｂ、１ｂを背後から押圧する弾性押圧部材の先端押圧部（押圧部）１ｃ１、１ｃ１と、前記プラグ保持空間１ａ１の最奥部となるレセプタクル本体１ａの前面に突出させるべく配したコンタクト部材１ｄの接片部１ｄ１とで構成したものである。
【００３１】
前記プラグ２は、図３及び図４に示すように、プラグ本体２ａと、該プラグ本体２ａの先端から突出する先端周囲に係止用拡大部２ｂ１を構成した柱状結合部２ｂと、該柱状結合部２ｂの先端に配置したコンタクト片２ｃの接片部２ｃ２とで構成したものである。
【００３２】
前記レセプタクル本体１ａは、この実施例では、図１、図２、図４及び図５に示すように、絶縁性部材で構成した基本的に直方体状の部材であり、その中央部には、前記コンタクト部材１ｄを配置するバネ保持空間１ａ３が構成してあり、最前部中央に該コンタクト部材１ｄの前部のＵ字形に屈曲した接片部１ｄ１を前面のプラグ保持空間１ａ１側に突き出すための接片用開口部１ａ３２が開口してある。また両側には、それぞれ前記空間形成用突起部１ａ２、１ａ２の後記バネ配置部１ａ２２に連続する側部空間１ａ６、１ａ６が形成してあり、各側部空間１ａ６、１ａ６の内壁の最後部上下には、前記ワイヤーコンタクト１ｂの基部軸１ｂ３を挿入固定する軸穴１ａ６１、１ａ６１が構成してあり、該内壁には、更に該軸穴１ａ６１、１ａ６１の近傍から前方に徐々に深くなりながら延長する軸用溝１ａ６２、１ａ６２を形成してある。なお、該軸穴１ａ６１、１ａ６１は、特に図５に示すように、バネ保持空間１ａ３側に貫通する状態に形成してある。
【００３３】
前記バネ保持空間１ａ３の後部は、図４(b)及び図５に示すように、全面的に開口する後部開口部となっており、この後部開口部には、後部カバー１ａ４が着脱開閉自在に取り付けてあり、この後部カバー１ａ４には、そのほぼ中央部に、該後部カバー１ａ４との間に係止溝１ａ４１を形成する挟持片１ａ５が構成してあり、かつ該後部カバー１ａ４には、該係止溝１ａ４１に繋がる後方に開くスリット１ａ４２が形成してある。
【００３４】
前記バネ保持空間１ａ３には、図４(b)及び図５に示すように、コンタクト部材１ｄの横向きＵ字形に屈曲した弾性発生部１ｄ２を配置するが、該弾性発生部１ｄ２の最後部を、前記後部カバー１ａ４と前記挟持片１ａ５との間に形成した係止溝１ａ４１に挿入係止し、該弾性発生部１ｄ２の後端から直角に屈曲して後方に延びる端子部１ｄ３を後方に開く前記スリット１ａ４２を通じて該レセプタクル本体１ａの後方に突き出させるものである。
【００３５】
また、前記のように、前記プラグ保持空間１ａ１を形成すべく、前記レセプタクル本体１ａの正面の両側からこれと一体に前記空間形成用突起部１ａ２、１ａ２を突出させたものである。
【００３６】
該空間形成用突起部１ａ２、１ａ２は、それぞれ、図１(a)及び図２(a)に示すように、前記プラグ２の柱状結合部２ｂの外周形状、すなわち、この実施例では、円柱状のそれに対応し、これより若干大径の部分円筒状内面形状の内面区画部１ａ２１、１ａ２１と、図４(b)及び図５に示すように、該内面区画部１ａ２１、１ａ２１の各々の外側に形成したバネ配置部１ａ２２、１ａ２２と、該バネ配置部１ａ２２、１ａ２２から前記両側の内面区画部１ａ２１、１ａ２１の周方向両側部、すなわち、該各内面区画部１ａ２１、１ａ２１の上下端部付近を通じて前記プラグ保持空間１ａ１に連通するバネ通過用スリット１ａ２３、１ａ２３とを備えているものである。
【００３７】
また前記各バネ配置部１ａ２２、１ａ２２を構成する空間は、図１(e)、図４(b)及び図５に示すように、最前部以外は若干狭くなり、その狭くなった幅で各々レセプタクル本体１ａの両側の側部空間１ａ６、１ａ６に延長接続状態に構成され、各々その側部外面側は、空間形成用突起部１ａ２、１ａ２側とレセプタクル本体１ａ側との境界付近を除いては、開放状態となっている。該境界付近は、その外縁の外側にそれらの底部と天板部とを接続する態様の柱状部１ａ３１、１ａ３１が構成してあり、この部分のみが僅かに閉じている。
【００３８】
また、図５に示すように、前記レセプタクル本体１ａの両側部空間１ａ６、１ａ６の内壁に形成してある前記軸用溝１ａ６２、１ａ６２は、前記バネ配置部１ａ２２、１ａ２２まで延長し、該バネ配置部１ａ２２、１ａ２２中では、前記バネ通過用スリット１ａ２３、１ａ２３に接続させてある。
【００３９】
前記ワイヤーコンタクト１ｂは、導電性弾性金属部材、この実施例では、リン青銅で構成したワイヤーを用い、図６及び図７に示すように、両端の並列する短軸状の基部軸１ｂ３、１ｂ３と、該両基部軸１ｂ３、１ｂ３の各一端（同一側端）から直角に屈曲して相互に平行に延長する延長軸部１ｂ４、１ｂ４と、該両延長軸部１ｂ４、１ｂ４の延長先端部から各々前記基部軸１ｂ３、１ｂ３の軸方向と同一方向（平行な方向）に屈曲突出させた部分円弧状の抱持用突部１ｂ２、１ｂ２と、該両抱持用突部１ｂ２、１ｂ２の前記延長軸部１ｂ４、１ｂ４と反対側の各端部相互を連結する連結軸部１ｂ１とで構成したものである。
【００４０】
前記抱持用突部１ｂ２、１ｂ２は、図１(a)に示すように、両者で前記プラグ２の柱状結合部２ｂの一周側部を抱えるように構成するものである。また前記連結軸部１ｂ１は、図６及び図７に示すように、Ｖ型に屈曲した構成とし、そのＶ型の屈曲部は前記両基部軸１ｂ３、１ｂ３の中間付近の方向に向けて突出させるものとし、該連結軸部１ｂ１の両端間の間隔は、前記バネ配置部１ａ２２から前記プラグ保持空間１ａ１側に貫通する上下のバネ通過用スリット１ａ２３、１ａ２３の間隔と一致する間隔に構成する。
【００４１】
以上のワイヤーコンタクト１ｂは、図５に示すように、その両基部軸１ｂ３、１ｂ３を各々前記軸穴１ａ６１、１ａ６１に挿入し、前記両延長軸部１ｂ４、１ｂ４を各々前記軸用溝１ａ６２、１ａ６２に進入可能に配置し、前記連結軸部１ｂ１を前記バネ配置部１ａ２２に配置して、該ワイヤーコンタクト１ｂの二つの抱持用突部１ｂ２、１ｂ２を各々前記バネ通過用スリット１ａ２３、１ａ２３に挿入し、かつ前記弾性押圧部材の先端押圧部１ｃ１、１ｃ１を該ワイヤーコンタクト１ｂの前記連結軸部１ｂ１に背後側から押し当て、該二つの抱持用突部１ｂ２、１ｂ２を前記プラグ保持空間１ａ１内に押し出すようにしたものである。
【００４２】
前記弾性押圧部材は、図１(b)〜(e)、図２、図４及び図５に示すように、導電性の弾性金属部材で構成した、前記レセプタクル本体１ａを包囲する包囲部１ｃ２と、該包囲部１ｃ２の両側部の前端から各々前記バネ配置部１ａ２２、１ａ２２に向かって延長する帯状延長部１ｃ３、１ｃ３と、該帯状延長部１ｃ３、１ｃ３の前端で、ほぼＵ字形に折り返して形成した先端押圧部（押圧部）１ｃ１と、前記包囲部１ｃ２の一側部の後端から延長状態に構成した端子部１ｃ４とで構成したものである。
【００４３】
前記包囲部１ｃ２は、図１(b)〜(e)、図２、図４及び図５に示すように、両側部では、レセプタクル本体１ａの前記柱状部１ａ３１、１ａ３１より後部をカバーし、上部及び下部では、両側部と同様に、後部をカバーする外、若干中央寄りの部位について、該後部のカバー部から各々該レセプタクル本体１ａの前端までを台形状にカバーするように構成した角筒状の部材である。また該包囲部１ｃ２には、下部中央には、図１(e)、図２(b)及び図４(a)に示すように、Ｕ字形の返し片１ｃ２１が構成してあり、該包囲部１ｃ２をレセプタクル本体１ａに後部側から外装包囲した状態で、この返し片１ｃ２１が、該レセプタクル本体１ａの図示しない下部側の係止用段差部に係止して抜け止めとなる。更に該包囲部１ｃ２の後部には、図１(b)〜(e)、図２(b)、図４及び図５に示すように、その上部の右側後部及び下部の左側後部にそれぞれ固定片１ｃ２２、１ｃ２２が構成してあり、前記レセプタクル本体１ａのバネ保持空間１ａ３の後部開口部を閉じる前記後部カバー１ａ４の取り付け状態を該固定片１ｃ２２、１ｃ２２で固定保持するようにしてある。
【００４４】
前記帯状延長部１ｃ３、１ｃ３は、図４(b)及び図５に示すように、前記包囲部１ｃ２の両側部の前端から前記プラグ保持空間１ａ１側に傾いた状態で、前記バネ配置部１ａ２２、１ａ２２に向かって延長し、前記先端押圧部１ｃ１、１ｃ１は、該帯状延長部１ｃ３、１ｃ３のバネ配置部１ａ２２、１ａ２２に位置する先端で、内側、すなわち、該プラグ保持空間１ａ１側にほぼＵ字形に折り返して形成し、前記のように、該バネ配置部１ａ２２、１ａ２２の該先端押圧部１ｃ１、１ｃ１より内側に位置するワイヤーコンタクト１ｂ、１ｂの連結軸部１ｂ１、１ｂ１をそれぞれ該プラグ保持空間１ａ１側に押圧するものである。該連結軸部１ｂ１、１ｂ１は、そのＶ型の屈曲部を前記両基部軸１ｂ３、１ｂ３の中間付近の方向に向けて突出させてあるので、前記弾性押圧部材の先端押圧部１ｃ１が広い範囲で適切にこれに当接することが可能となり、その押圧力を良好に受けることが可能となるものである。こうして該ワイヤーコンタクト１ｂの抱持用突部１ｂ２、１ｂ２は前記プラグ保持空間１ａ１中に押し込まれ、図１(a)に示すように、ここに挿入されるプラグ２の柱状結合部２ｂの周側面に抱持状態に圧接することになる。
【００４５】
前記端子部１ｃ４は、図１(c)〜(e)、図２、図４及び図５に示すように、前記包囲部１ｃ２の一側部の後端から帯状に延長したものであり、この実施例では、アース端子として構成したものである。
【００４６】
前記コンタクト部材１ｄは、図４(b)及び図５に示すように、導電性の帯状弾性部材で構成した構成要素であり、平面視で横向きＵ字形に屈曲した弾性発生部１ｄ２と、該弾性発生部１ｄ２の前端からその向きと直交する縦向きで前方に延び、先端で折り返した態様のＵ字形の接片部１ｄ１と、前記弾性発生部１ｄ２の後端からその向きと直交する縦向きで後方に延びる端子部１ｄ３とで構成したものである。
【００４７】
前記し、図４(b)及び図５に示すように、このコンタクト部材１ｄは、その弾性発生部１ｄ２を、前記レセプタクル本体１ａのバネ保持空間１ａ３中に配置し、該弾性発生部１ｄ２の後部側の横向き部分を、該バネ保持空間１ａ３の後部開口を閉じる後部カバー１ａ４と前記挟持片１ａ５との間の係止溝１ａ４１に挿入係止しながら端子部１ｄ３の前端部付近を該後部カバー１ａ４に形成したスリット１ａ４２に挿入し、該端子部１ｄ３を後方に延長状態に配する。同時に前記Ｕ字形の接片部１ｄ１をレセプタクル本体１ａの前部中央に開口する接片用開口部１ａ３２を通じてプラグ保持空間１ａ１中に突き出させる。
【００４８】
なお、このとき、このコンタクト部材１ｄは、レセプタクル本体１ａから外した状態の後部カバー１ａ４の係止溝１ａ４１に、弾性発生部１ｄ２の後部側横向き部分を挿入係止し、かつ端子部１ｄ３の前端部付近を該後部カバー１ａ４のスリット１ａ４２に挿入した状態で、弾性発生部１ｄ２を、レセプタクル本体１ａのバネ保持空間１ａ３に装入しながら該後部カバー１ａ４で該バネ保持空間１ａ３の後部開口部を閉じ、更に該コンタクト部材１ｄの先端の接片部１ｄ１を該レセプタクル本体１ａの前部中央の開口部を通じてプラグ保持空間１ａ１中に突き出させる手順でセットするのが適当である。
【００４９】
これは、当然、前記包囲部１ｃ２をレセプタクル本体１ａから外した状態で行い、以上のように、後部カバー１ａ４をバネ保持空間１ａ３の後部開口部を閉じるべく配した上で、該包囲部１ｃ２を該レセプタクル本体１ａに後部から外装する。
【００５０】
前記プラグ２は、図３及び図４に示すように、プラグ本体２ａと、その前端から突出する、先端に係止用拡大部２ｂ１を構成した前記柱状結合部２ｂと、該柱状結合部２ｂの外周を構成する筒状コンタクト部材２ｂ２と、その内部を構成する円柱状絶縁部材２ｂ３と、該柱状結合部２ｂの先端中央部に配置した、前記コンタクト部材１ｄの接片部１ｄ１と接触するコンタクト片２ｃの接片部２ｃ２とで構成したものである。
【００５１】
前記プラグ本体２ａは、同図に示すように、この実施例では、全体を９０度に屈曲した構成の絶縁性硬質部材であり、その先端側から、前記のように、柱状結合部２ｂを突出させ、後端側から電気信号又は電力の授受用のケーブルを引き出したものである。
【００５２】
前記柱状結合部２ｂは、前記し、図３及び図４に示すように、内部の円柱状絶縁部材２ｂ３と、これに外装する導電性の円筒状部材である前記筒状コンタクト部材２ｂ２とで構成したものであり、前記係止用拡大部２ｂ１は、該筒状コンタクト部材２ｂ２の先端から僅かに突出した円柱状絶縁部材２ｂ３の先端縁部を全周に渡って僅かに膨らませることで構成したものである。また該係止用拡大部２ｂ１は、その直前に位置する筒状コンタクト部材２ｂ２の先端外周部を僅かに肉薄に形成することで、より係止機能を高めるように構成してあるものでもある。
【００５３】
また前記コンタクト片２ｃは、図３(b)及び図４(b)に示すように、導電性の帯状金属で構成したコンタクト片本体２ｃ１と、その先端部を９０度に折曲して構成した接片部２ｃ２とで構成したものであり、該コンタクト片本体２ｃ１は、前記円柱状絶縁部材２ｂ３の長さを越える長さ寸法に構成したものである。図３(b)に示すように、このコンタクト片２ｃは、そのコンタクト片本体２ｃ１を該円柱状絶縁部材２ｂ３にその長さ方向に沿って形成した取り付けスリットに貫通させた上で、その先端の接片部２ｃ２を該円柱状絶縁部材２ｂ３の先端に当接状態に配したものである。なお、該円柱状絶縁部材２ｂ３の先端は、僅かに凹ませた凹部に構成してある。該接片部２ｃ２は、該凹部に当接状態に配してあるものである。
【００５４】
従ってこの実施例のコネクタ装置によれば、前記レセプタクル１を小型の携帯機器等に組み込んで有用に使用することができる。携帯機器等に組み込んだレセプタクル１の正面からそのプラグ保持空間１ａ１に前記プラグ２の柱状結合部２ｂを挿入すると、前記両空間形成用突起部１ａ２、１ａ２のバネ配置部１ａ２２、１ａ２２にそれぞれ連結軸部１ｂ１、１ｂ１を位置させたワイヤーコンタクト１ｂ、１ｂの抱持用突部１ｂ２、１ｂ２が、両側の内面区画部１ａ２１、１ａ２１の上下のバネ通過用スリット１ａ２３、１ａ２３を通じて該プラグ保持空間１ａ１中に突出しており、これらで該プラグ２の柱状結合部２ｂの周側両側がそれぞれ抱持状態に保持されることになる。
【００５５】
上下両端のバネ通過用スリット１ａ２３、１ａ２３を通じてプラグ保持空間１ａ１中に突出している各一対の抱持用突部１ｂ２、１ｂ２は、弾力性のあるワイヤー部材で構成され、かつ部分円弧状であり、プラグ２の柱状結合部２ｂの挿入方向に平行に配されているので、該柱状結合部２ｂの挿入の際には、その先端等が該抱持用突部１ｂ２、１ｂ２に接触することにはなるが、その際にその挿入に障害を与えない方向に屈曲回避し、または弾力的に後退して不都合を生じさせない。
【００５６】
また前記両側の各上下一対の抱持用突部１ｂ２、１ｂ２は、このようにして挿入されたプラグ２の柱状結合部２ｂを、前記し、かつ図１(a)に示すように、周方向両側で、抱持状態に保持するものであり、かつ、前記したように、前記バネ配置部１ａ２２、１ａ２２内にそれぞれ位置する連結軸部１ｂ１、１ｂ１が弾性押圧部材の先端押圧部１ｃ１、１ｃ１で内側（プラグ保持空間１ａ１側）に押圧されており、これによって両側の一対の抱持用突部１ｂ２、１ｂ２が該柱状結合部２ｂ側に適度な圧力で付勢されているため、該柱状結合部２ｂは、適度な保持力でプラグ保持空間１ａ１内に保持されることになる。しかも、このとき、プラグ２の柱状結合部２ｂには、その先端部に係止用拡大部２ｂ１が構成してあるため、これに引き抜き力が加わっても、容易に抜けるようなこともない。
【００５７】
またプラグ保持空間１ａ１は、前記のように、両側の空間形成用突起部１ａ２、１ａ２で構成されており、上下を閉じる構成要素がないため、レセプタクル１を低背化させることができたものであり、それにもかかわらず、両側からこのプラグ保持空間１ａ１に突出する各一対の抱持用突部１ｂ２、１ｂ２で挿入されるプラグ２の柱状結合部２ｂを抱持することとしたため、適度の保持力を確保することができるものでもある。
【００５８】
他方、前記プラグ保持空間１ａ１の各一対の抱持用突部１ｂ２、１ｂ２と前記プラグ２の柱状結合部２ｂとの接続は、前記のとおりであり、特に図１(a)に示すように、該プラグ２の柱状結合部２ｂは、プラグ保持空間１ａ１中で、そのほぼ中央に、両側の各一対の抱持用突部１ｂ２、１ｂ２…により浮いた状態で抱持状態に保持され、かつ嵌合長の非常に短い接続となっている。そのため、該柱状結合部２ｂを該プラグ保持空間１ａ１の中心軸に対して一定の範囲内でいずれの方向に傾けて引くことも可能であり、そのようないずれの方向の引っ張りによっても該プラグ保持空間１ａ１を構成する両側の空間形成用突起部１ａ２、１ａ２又はレセプタクル本体１ａに損傷を加えるおそれはない。
【００５９】
また、該柱状結合部２ｂは、前記のように、適度な保持力で保持されており、これにいずれの方向の引き抜き力が加わっても容易に抜けることはない。しかしその保持力を越える力で引けば、前記プラグ保持空間１ａ１の軸心方向ばかりでなく、それに対して傾いたいずれの方向に引いた場合であっても、同様に、該プラグ保持空間１ａ１の周囲のいずれの部位に損傷を生じさせることもなく抜去することができる。
【００６０】
なお、以上の保持力を適切に設定しておくことにより、このコネクタ装置を、ノートパソコン等の携帯機器の電力又は電気信号の授受用のケーブルの接続手段として用いた場合に、そのケーブルをプラグ２の柱状結合部２ｂ及びレセプタクル１のプラグ保持空間１ａ１の軸方向と一致しない種々の方向から引っ張ったとしても、該プラグ２の柱状結合部２ｂは、レセプタクル１の適切な保持力を越えたところで、そのプラグ保持空間２ｂから離脱することになるため、対象のノートパソコン等を引き摺ってしまって、テーブル等から落下させてしまうような問題を生じるおそれもない。
【００６１】
また、前記のように、プラグ２の柱状結合部２ｂを、前記プラグ保持空間１ａ１に挿入すると、該柱状結合部２ｂの外面を構成する筒状コンタクト部材２ｂ２が前記抱持用突部１ｂ２、１ｂ２…に接触し、これらが前記連結軸部１ｂ１、１ｂ１を介して前記弾性押圧部材の先端押圧部１ｃ１、１ｃ１に接続しており、該先端押圧部１ｃ１、１ｃ１から帯状延長部１ｃ３及び包囲部１ｃ２を通じて端子部１ｃ４に接続しており、他方、柱状結合部２ｂの先端に配されたコンタクト片２ｃの接片部２ｃ２は、レセプタクル本体１ａの前部から該プラグ保持空間１ａ１に突出しているコンタクト部材１ｄの接片部１ｄ１に当接状態となる。
【００６２】
こうしてワイヤーコンタクト１ｂと柱状結合部２ｂの外周を構成する筒状コンタクト部材２ｂ２、及び柱状結合部２ｂ２の先端のコンタクト片２ｃの接片部２ｃ２とレセプタクル本体１ａの前面のコンタクト部材１ｄの接片部１ｄ１との各々の電気的接続は確実に行われることになる。
【００６３】
プラグ２及びレセプタクル１としての基本的機能も十分に有するものである。
【産業上の利用可能性】
【００６４】
本発明のコネクタ装置は電子機器の製造業の分野で利用することができる。
【符号の説明】
【００６５】
１    レセプタクル
１ａ  レセプタクル本体
１ａ１  プラグ保持空間
１ａ２  空間形成用突起部
１ａ２１  内面区画部
１ａ２２  バネ配置部
１ａ２３  バネ通過用スリット
１ａ３  バネ保持空間
１ａ３１  柱状部
１ａ３２  接片用開口部
１ａ４  後部カバー
１ａ４１  係止溝
１ａ４２  スリット
１ａ５  挟持片
１ａ６  側部空間
１ａ６１  軸穴
１ａ６２  軸用溝
１ｂ  ワイヤーコンタクト
１ｂ１  連結軸部
１ｂ２  抱持用突部
１ｂ３  基部軸
１ｂ４  延長軸部
１ｃ１  先端押圧部
１ｃ２  包囲部
１ｃ２１  返し片
１ｃ２２  固定片
１ｃ３  帯状延長部
１ｃ４  端子部
１ｄ  コンタクト部材
１ｄ１  接片部
１ｄ２  弾性発生部
１ｄ３  端子部
２    プラグ
２ａ  プラグ本体
２ｂ  柱状結合部
２ｂ１  係止用拡大部
２ｂ２  筒状コンタクト部材
２ｂ３  円柱状絶縁部材
２ｃ  コンタクト片
２ｃ１  コンタクト片本体
２ｃ２  接片部
【図１】
2014225363.tif 000003
【図２】
2014225363.tif 000004
【図３】
2014225363.tif 000005
【図４】
2014225363.tif 000006
【図５】
2014225363.tif 000007
【図６】
2014225363.tif 000008
【図７】
2014225363.tif 000009